【事件の表示】
　特願２０１０−５３１９６４「映像表示装置およびその制御方法」拒絶査定不服審判事件〔平成２１年　５月１４日国際公開、ＷＯ２００９／０６１１０２、平成２３年　２月２４日国内公表、特表２０１１−５０５７１５〕について、次のとおり審決する。
【結　論】
　本件審判の請求は、成り立たない。
【理　由】
第１　手続の経緯
　本願は、２００８（平成２０）年１０月３０日（パリ条約による優先権主張外国庁受理　２００７年１１月５日、韓国）を国際出願日とする出願であって、平成２５年４月１２日付けの拒絶理由通知に応答して平成２５年７月３日付けで手続補正がなされたが、平成２６年２月３日付けで拒絶査定がなされた。
　これに対し、平成２６年６月１１日に拒絶査定不服審判が請求されるとともに、同時に手続補正がなされたものである。
　
第２　本願発明
　本願の請求項に係る発明は、平成２６年６月１１日付けの手続補正により補正された特許請求の範囲の請求項１ないし１５に記載された事項により特定されるものであると認められるところ、そのうち、請求項１に係る発明（以下、これを「本願発明」という）は、次のとおりのものである。
　なお、本願発明の各構成の符号は便宜的に当審で付したものである。
　
（本願発明）
（Ａ）複数のプログレスバーのうちの一プログレスバーを選択する命令の入力を受ける選択部と、
（Ｂ）前記プログレスバーに関する情報を保存し、コンテンツの複数の所定場面を検索する複数のマークに関する情報を保存する保存部と、
（Ｃ）前記選択された一プログレスバーのマークに対応する場面を前記保存部から呼び出して、前記場面を表示する制御部と、
（Ｄ）ユーザの要求に応じて異なるタイプのプログレスバーを追加したり、既存のタイプのプログレスバーを除去したりするための設定部と
を含み、
（Ｅ）前記制御部は、前記一プログレスバーから前記複数のプログレスバーのうちの他のプログレスバーに変更されたとき、前記他のプログレスバーにマークを表示する、
（Ｆ）映像表示装置。
　
第３　当審の判断
１．刊行物の記載
　原査定の拒絶の理由に引用された刊行物１である特開２００７−１４２７８５号公報（以下「引用例１」という）には、「記録再生装置」（発明の名称）に関し、図面と共に次に掲げる事項が記載されている。
　
【００２３】
　また、表示インジケータに所定のカーソルを設けて、ユーザの操作キーによる操作によってその再生箇所を自由に変更できるようにする。この場合に、所望の属性情報を選択すればすぐにその所望の属性情報に対応するチャプタデータの再生を行うよう制御すれば、その使い勝手は更に向上する。
　
【実施例１】
【００２６】
　図１は実施例１による記録再生装置の一ブロック構成図である。本実施例の記録再生装置は、例えば、ＨＤＤ/ＤＶＤレコーダ、およびそれを内蔵する録画機能付テレビ、携帯電話等の携帯端末、ＰＣ（Personal Computer）などに適用可能である。
【００２７】
　図１において、動画像制御部１０１は、ＣＰＵ（Central Processing Unit）を含む演算制御装置で、操作入力部１２０からのユーザによる操作入力を受けて、内蔵するＲＯＭ（図示せず）に書き込まれたプログラムに基づいて、内蔵する図示しないＲＡＭ（Random Access Memory）をワークエリアとして用いながら、必要に応じて記録再生装置を構成する各構成要素をバスライン１１９を介して制御して、所定の処理を行う。
　
【００３４】
　ＨＤＤ部１０７には、動画像データ１１１と動画像データ１１１に関する再生制御情報１１２が対応付けられて、管理情報として記録される。
　
【００３８】
　動画像再生制御部１０８は、動画像制御部１０１の制御の下で、データ入出力制御部１０６を介してＨＤＤ部１０７に記録された動画像データ１１１および管理情報２０１を読み出し、再生を行う。動画像再生制御部１０８は、動画像データ１１１が符号化（例えばＭＰＥＧ圧縮）されている場合には復号化（デコード）を行う。
【００３９】
　また、ＨＤＤ部１０７の再生の際には、チューナ部１０２で受信した放送と切り替えて、動画像再生制御部１０８で再生された動画像を、表示画面生成部１１０を介して表示出力制御部１０３に送り、表示装置１０４に出力する。
【００４０】
　また、管理情報２０１については、動画像制御部１０１にバスライン１１９を介して送出する。動画像制御部１０１は、管理情報２０１を受けると、現在選択されているタイトルの動画像データに対応した再生制御情報１１２を管理情報２０１から抽出し、表示画面生成部１１０に送出する。表示画面生成部１１０はこれを受けて、所定のＧＵＩ（Graphic User Interface）画面を生成し、表示出力制御部１０３を介して表示装置１０４に表示する。
　
【００６１】
　また、各シーンチェンジには、図４に示されるように、シーンチェンジの位置情報とともに、シーンチェンジ検出部１１５の検出属性（例えばＣＭ属性、ハイライト属性）が付随する。
【００６２】
　すなわち、動画像制御部１０１は、シーンチェンジ検出部１１５がＣＭであると検出したシーンチェンジつまりチャプタには、再生制御情報１１２にチャプタ属性をＣＭとして記憶する。例えば、図３において、シーンチェンジ位置３０９，３１０をシーンチェンジ検出部１１５のＣＭ検出機能で検出した場合、つまりシーンチェンジ位置３０９とシーンチェンジ位置３１０との間のシーン３０２をＣＭと検出した場合には、シーンチェンジ位置３０９とシーンチェンジ位置３１０との間のＣＰ４のチャプタ属性をＣＭとして記憶する。
【００６３】
　なお、図３では符号ＣでＣＭ属性を示している。同様に、シーン３０４，３０６をＣＭと検出した場合には、ＣＰ８およびＣＰ１２のチャプタ属性をＣＭとして記録する。
【００６４】
　また、動画像制御部１０１は、シーンチェンジ検出部１１５がハイライトであると検出したチャプタには、再生制御情報１１２にチャプタ属性をハイライトとして記憶する。
【００６５】
　例えば、図３において、シーンチェンジ位置３０７，３０８をシーンチェンジ検出部１１５のハイライト検出機能で検出した場合、つまりシーン３０１をハイライトと検出した場合には、シーンチェンジ位置３０７とシーンチェンジ位置３０８との間のＣＰ２のチャプタ属性をハイライトとして記録する。なお、図３では符号Ｈでハイライト属性を示している。同様に、シーン３０３，３０５をハイライトと検出した場合には、ＣＰ６およびＣＰ１０のチャプタ属性をハイライトとして記録する。
【００６６】
　以上述べたように、本実施例による再生制御情報１１２は、図４に示すように、シーンチェンジ位置情報と、隣り合うシーンチェンジ位置で区切られたチャプタ情報と、該チャプタの属性情報とを少なくとも含む。再生制御情報１１２に含まれるその他の情報としては、図示しないが例えば後述する部分削除情報などがある。部分削除が設定された区間では、スキップされて、その部分は再生されない。
　
【００８３】
　図６の部分削除画面に遷移すると、動画像制御部１０１は、サムネイル画像５０２で代表されるタイトルを動画像再生制御部１０８で再生し、再生した動画像を表示画面生成部１１０に取り込ませて、ＧＵＩ画面の動画像表示領域６０１に表示する。
【００８４】
　また、ＧＵＩ画面の動画像表示領域６０１の下部には、選択されたタイトルで記録（録画）時に検出された所定属性（本実施例ではＣＭ属性とハイライト属性）に属する複数のチャプタを一括して容易にわかり易く表示するため、棒状の表示領域を有するインジケータ６０２を表示する。この時、棒状のインジケータ６０２は、現在の再生位置を示すカーソル表示６０３や、検出されたチャプタ属性に属する複数のチャプタを表示する。
【００８５】
　さらに、ＧＵＩ画面の最下部には、インジケータ６０２において、チャプタ表示のチャプタ属性を切り替えるためのＣＭ属性のボタン表示６０４と、ハイライト属性のボタン表示６０５と、ＣＭ属性とハイライト属性の両方の属性のボタン表示６０６とを表示する。現在設定されているチャプタ属性のボタン表示には、非設定のものと区別するために、例えば所定色の〇印を付して示す。
【００８６】
　なお、現在再生位置時間６０７は、現在再生位置を示すカーソル表示６０３に対応した再生時間を示し、現在再生中の位置を動画像データの先頭を０としたときの時間で示している。また、インジケータ６０２とボタン表示６０４，６０５，６０６との間には、現在の再生状態を一瞥でわかるように、現在の再生状態を示すマークあるいは文字で現在再生状態表示６０８を表示する。ここでは再生状態なので、再生マークを表示している。
【００８７】
　ユーザ操作により、図６の画面に遷移したとき、動画像制御部１０１は、動画像表示領域６０１にはサムネイル画像５０２で代表されるタイトルの再生画像を表示し、チャプタ属性の初期設定として、本実施例では、ＣＭ属性に対応したボタン表示６０４を選択する。このとき、棒状のインジケータ６０２では、例えば図４の再生制御情報１１２で、チャプタ属性が「ＣＭ」で記録されているチャプタの位置に、例えば色をつけるなどして他の部分と区別し、選択された所定属性に属する複数のチャプタの位置を一瞥してわかるように表示する。ここでは、チャプタ属性としてＣＭ属性が設定されているので、インジケータ６０２では、ＣＭ属性に属する複数のチャプタの位置（図４の例では、ＣＰ４とＣＰ８とＣＰ１２）に色をつけて明示する。
【００８８】
　このようにすれば、一瞥してＣＭのチャプタを識別することができる。なお、色を付けるという意味は、チャプタを囲う領域の枠やチャプタ領域の背景（地）に色をつけて他の部分と区別するという意味であり、他の部分と区別することができればこれに限定されるものではない。例えば模様を付けたり、背景の濃淡を変えて区別できるようにしてもよい。
【００８９】
　ユーザがリモコン１２１のハイライト属性ボタン１３４を押下してハイライト属性のボタン表示６０５を選択した場合、図７の画面に遷移する。
【００９０】
　図７の画面は図６とほぼ同じであるが、棒状のインジケータ６０２では、例えば図４の再生制御情報１１２で、チャプタ属性が「ハイライト」で記録されているチャプタの位置に、例えば色をつけるなどして他の部分と区別し、選択された所定属性に属する複数のチャプタの位置を一瞥してわかるように表示する。
【００９１】
　ここでは、チャプタ属性としてハイライト属性が設定されているので、インジケータ６０２では、ハイライト属性に属する複数のチャプタの位置（図４の例では、ＣＰ２とＣＰ６とＣＰ１０）に色をつけて明示する。
【００９２】
　なお、この時、ＣＭ属性のチャプタと識別できるように、ＣＭ属性の場合に使用する色とは異なるようにするのが望ましい。
【００９３】
　また、ユーザがリモコン１２１の両属性ボタン１３５を押下して両属性のボタン表示６０６を選択した場合、図８の画面に遷移する。
【００９４】
　図８の画面は図６とほぼ同じであるが、棒状のインジケータ６０２では、ＣＭ部分とハイライト部分の両方のチャプタ位置に、例えば色をつけるなどして表示する。なお、インジケータ６０２におけるＣＭ部分の色とハイライト部分の色は異なる色で表示することが望ましい。
【００９５】
　なお、図７，図８で、ユーザがリモコン１２１のＣＭ属性ボタン１３３を押下すると、再び、図６の画面に遷移することはいうまでもない。
【００９６】
　上記のように、本実施例によれば、チャプタ属性を切り替えるボタンを備え、チャプタ属性を切り替えて、棒状のインジケータ上に、指定属性に属するチャプタを表示するので、所望属性のチャプタを容易に一瞥して識別することができる。
　
【０１２４】
　また、図６〜図８では、本実施例の適用例として、部分削除機能における操作画面例を用いて示したが、これに限定されるものではなく、他の機能において、インジケータ表示を切り替える機能を有してもよい。
　
２．引用発明
　上記引用例１の記載について検討する。
　
（１）引用例１の段落【００２６】，【００２７】，【００３８】〜【００４０】，【図１】の記載によれば、引用例１記載の記録再生装置は、例えば録画機能付きテレビであり、動画像再生制御部１０８が動画像制御部１０１の制御の下でＨＤＤ部１０７に記録された動画像データ１１１を読み出して再生し、表示画面生成部１１０、表示出力制御部１０３を介して表示装置１０４に表示する。すなわち、「ＨＤＤ部から動画データを読み出し表示装置に表示する記録再生装置」である。
　
（２）引用例１の段落【００３４】，【００４０】の記載によれば、記録再生装置の動画像制御部１０１は、ＨＤＤ部１０７に記録された、動画像データ１１１に関する再生制御情報１１２を抽出し、表示画面生成部１１０により所定のＧＵＩ画面を生成し、表示装置１０４に表示する。
　段落【００６１】〜【００６６】，【図３】，【図４】の記載によれば、再生制御情報１１２は、シーンチェンジ位置情報と、シーンチェンジ位置で区切られたチャプタ情報と、チャプタの属性情報（ＣＭ属性、ハイライト属性）とを含む。
　また、段落【００８３】〜【００９６】，【図６】，【図７】の記載によれば、ＧＵＩ画面は、動画表示領域６０１の下部に、棒状のインジケータ６０２と所定属性（実施例ではＣＭ属性とハイライト属性）に属する複数をチャプタを表示する。
　さらに、ＧＵＩ画面の最下部には、インジケータ６０２において、チャプタ表示のチャプタ属性を切り替えるためのＣＭ属性のボタン表示６０４と、ハイライト属性のボタン表示６０５とを表示しており、ユーザがリモコン１２１のボタンを操作し選択する。
　チャプタの表示は、ＣＭ属性が設定されていれば、ＣＭ属性に属する複数のチャプタの位置に色を付けて明示し、ハイライト属性が選択されていれば、ハイライト属性に属する複数のチャプタの位置にＣＭ属性と異なる色を付けて明示する。
　なお、段落【０１２４】の記載によれば、これらのインジケータ表示の切り替え機能は、部分削除機能の動作時に限定されないので、記録再生装置の通常の再生時にも使用されるものと認定できる。
　以上のことから、引用例１の記録再生装置は、「動画表示領域の下に、インジケータと、インジケータ上に所定のチャプタ属性に属する色の付された複数のチャプタを表示する動画像制御部」を有しており、動画像制御部は「チャプタ属性が切り替えられたとき、切り替えられた属性のチャプタを異なる色を付して表示する」ものである。
　また、引用例１の記録再生装置は、「チャプタの属性情報と、複数のチャプタの区切りの位置情報とを記録したＨＤＤ部」、「チャプタ表示のチャプタ属性を切り替えるためのリモコン上のボタン」を有している。
　
（３）引用例１の段落【００２３】，【００８４】，【００８６】の記載によれば、引用例１の記録再生装置は、インジケータに現在位置を示すカーソルを表示し、そのカーソル操作により再生箇所が変更されるから、インジケータに現在の再生位置を示すカーソルを表示するものである。また、所望の属性情報を選択すると、その属性情報に対応するチャプタの動画データの再生を行うものであるから、所望の属性のチャプタに対応する動画データの再生を行うものである。
　そして、これらの機能は、記録再生装置の全体を制御する動画像制御部より実現されるものといえる。
　よって、引用例１の記録再生装置は、「インジケータに現在の再生位置を示すカーソルを表示し、所望の属性のチャプタに対応する動画データの再生を行う動画像制御部」を有しているといえる。
　
（４）まとめ
　上記（１）ないし（３）によると、引用例１には下記の発明（以下「引用発明」という）が記載されていると認められる。
　
（引用発明）
　ＨＤＤ部から動画データを読み出し表示装置に表示する記録再生装置であって、
　チャプタ表示のチャプタ属性を切り替えるためのリモコン上のボタンと、
　チャプタの属性情報と、複数のチャプタの区切りの位置情報とを記録したＨＤＤ部と、
　動画表示領域の下に、インジケータと、インジケータ上に所定のチャプタ属性に属する色の付された複数のチャプタを表示し、チャプタ属性が切り替えられたとき、切り替えられた属性のチャプタを異なる色を付して表示するとともに、
　インジケータに現在の再生位置を示すカーソルを表示し、所望の属性のチャプタに対応する動画データの再生を行う動画像制御部とを備えた
　記録再生装置。
　
３．対比
　本願発明と引用発明とを対比すると次のことが認められる。
　
（ａ）本願発明の構成Ａについて
　引用発明は、インジケータに所定の属性のチャプタを色付けして表示し、リモコン上のボタンによりチャプタ属性が切り替えられると、異なる属性のチャプタが異なる色で表示されるものである。
　チャプタ属性が切り替えられると、異なる属性のチャプタが異なる色でインジケータに表示されるのであるから、チャプタ属性毎の複数のインジケータが存在し、リモコン上のボタンは、そのうちの１つのインジケータを選択する命令の入力を受けるボタンであるといえる。
　そして、引用発明のインジケータは、カーソルにより現在の再生位置を示す機能を有しているから、本願発明のプログレスバーに相当するものといえる。
　従って、引用発明の複数のインジケータのうちの１つのインジケータを選択する命令の入力を受けるボタンは、本願発明の「複数のプログレスバーのうちの一プログレスバーを選択する命令の入力を受ける選択部」と共通するものとえいる。
　
（ｂ）本願発明の構成Ｂについて
　引用発明は、ＨＤＤ部にチャプタの属性情報と、複数のチャプタの区切りの位置情報とを記録しており、チャプタの属性情報は、インジケータに表示されるチャプタの種類に関する情報であるから、インジケータに関する情報といえる。
　また、複数のチャプタの区切りの位置情報は、動画データのチャプタの先頭を呼び出すことが可能な情報であるといえるから、動画データの複数の所定の場面を検索する情報といえる。
　よって、引用発明のＨＤＤ部は、「インジケータに関する情報と、動画データの複数の所定の場面を検索するチャプタに関する情報を保存したＨＤＤ部」といえる。
　そして、引用発明のチャプタは、インジケータ上に色付けされて表示され、動画データの複数の所定の場面を検索するのであるから、本願発明のマークに相当するものといえる。
　また、動画データはコンテンツといえ、上記（ａ）において検討したように、引用発明のインジケータは本願発明のプログレスバーに相当する。
　以上のことから、引用発明のＨＤＤ部は、本願発明の「前記プログレスバーに関する情報を保存し、コンテンツの複数の所定場面を検索する複数のマークに関する情報を保存する保存部」と共通する。
　
（ｃ）本願発明の構成Ｃについて
　引用発明は、所望の属性のチャプタに対応する動画データの再生を行う動画像制御部を備えており、動画データは、ＨＤＤ部から読み出されて表示されるから、引用発明は、所望の属性のチャプタに対応する動画データをＨＤＤ部から読み出して表示する動画像制御部を有しているといえる。
　そして、所望の属性のチャプタは、選択されているインジケータのチャプタであり、上記（ｂ）において検討したように、引用発明のチャプタは本願発明のマークに相当するから、引用発明は、本願発明の動画像制御部は、本願発明の「前記選択された一プログレスバーのマークに対応する場面を前記保存部から呼び出して、前記場面を表示する制御部」に相当する。
　
（ｄ）本願発明の構成Ｄについて
　本願発明は、「ユーザの要求に応じて異なるタイプのプログレスバーを追加したり、既存のタイプのプログレスバーを除去したりするための設定部」を有しているのに対し、引用発明はそのような構成を有していない点で、両者は相違する。
　
（ｅ）本願発明の構成Ｅについて
　引用発明は、動画表示領域の下に、インジケータと、インジケータ上に所定のチャプタ属性に属する色の付された複数のチャプタを表示し、チャプタ属性が切り替えられたとき、切り替えられた属性のチャプタを異なる色を付して表示する動画像制御部を有している。
　上記（ａ）において検討したように、引用発明は、チャプタ属性毎の複数のインジケータを有しているといえ、インジケータはプログレスバーといえる。また、上記（ｂ）において検討したように、引用発明のチャプタはマークに相当する。
　そして、インジケータがチャプタ属性の異なるインジケータに切り替えられると、切り替えられた属性のチャプタを異なる色を付して表示するものであるから、引用発明の動画像制御部は、本願発明の「前記制御部は、前記一プログレスバーから前記複数のプログレスバーのうちの他のプログレスバーに変更されたとき、前記他のプログレスバーにマークを表示する」という構成に相当する。
　
（ｆ）本願発明の構成Ｆについて
　引用発明の「記録再生装置」は、ＨＤＤ部から動画データを読み出し表示装置に表示する装置であるから映像を表示する装置であるといえ、本願発明の「映像表示装置」に相当する。
　
　４．一致点・相違点
　以上（ａ）ないし（ｆ）の対比結果を踏まえると、本願発明と引用発明との一致点及び相違点は、次のとおりである。
　
［一致点］
　複数のプログレスバーのうちの一プログレスバーを選択する命令の入力を受ける選択部と、
　前記プログレスバーに関する情報を保存し、コンテンツの複数の所定場面を検索する複数のマークに関する情報を保存する保存部と、
　前記選択された一プログレスバーのマークに対応する場面を前記保存部から呼び出して、前記場面を表示する制御部と、
を含み、
　前記制御部は、前記一プログレスバーから前記複数のプログレスバーのうちの他のプログレスバーに変更されたとき、前記他のプログレスバーにマークを表示する、
　映像表示装置。
［相違点］
　本願発明は、「ユーザの要求に応じて異なるタイプのプログレスバーを追加したり、既存のタイプのプログレスバーを除去したりするための設定部」を有しているのに対し、引用発明はそのような構成を有していない点。
　
　５．判断
（１）相違点について
　引用例１には、
「【００１６】
　（省略）
　なお、実施例においては、属性情報としてＣＭ属性やハイライト属性といったものを想定するが、これに限定されるものではない。
【００１７】
　例えば、番組中において好みのもしくは所定のタレントが出演している場面、あるいは、歌番組中のトークの場面又は歌っている場面などを指定できるような属性情報でもよい。」
と記載されているように、属性情報として、実施例で説明するＣＭ属性やハイライト属性以外に、所定のタレント、トークの場面、歌っている場面などのその他の属性が採用できることが示唆されている。
　よって、引用発明において、ＣＭ属性やハイライト属性とは異なるチャプタ属性を選択することは当業者が容易に想到し得ることであり、その際にユーザが所望するチャプタ属性を追加し不要なチャプタ属性を削除できるようにすることやそのための設定部を設けることは、当業者が適宜なし得ることである。
　そして、引用発明において、チャプタ属性を追加、削除することは、そのチャプタ属性に対応するインジケータ、すなわちプログレスバーを追加、削除することであるから、引用発明に、上記相違点にかかる「ユーザの要求に応じて異なるタイプのプログレスバーを追加したり、既存のタイプのプログレスバーを除去したりするための設定部」を設けることは、当業者が容易になし得ることとである。
　
（４）効果等について
　本願発明の構成は、上記のように当業者が容易に想到できたものであるところ、本願発明が奏する効果は、その容易想到である構成から当業者が容易に予測しうる範囲内のものであり、同範囲を超える格別顕著なものがあるとは認められない。
　
（５）まとめ
　以上のとおりであるから、本願発明は、引用例１に記載された発明に基づいて、当業者が容易に発明をすることができたものである。
　
第４　むすび
　以上のように、本願の請求項１に係る発明は、引用例１に記載された発明に基づいて当業者が容易に発明をすることができたものであるから、特許法第２９条第２項の規定により特許を受けることができない。
　したがって、本件出願は、その余の請求項について論及するまでもなく、拒絶をすべきものである。
　よって、結論のとおり審決する。